(57)【要約】【課題】  ホルミシス効果及びマイナスイオン効果を備えるドライサウナ方式のラドン・マイナスイオン温浴装置及びこれを備えたラドン・マイナスイオン温浴室を提供する。【解決手段】  温浴装置１は、ＰＴＣ電気式面状発熱体に木製枠を取付け、微量の天然放射能を発生させる土及び石を粉末にし、成形し、焼成したテラコッタタイルを前記木製枠に差し込み式に配列したことにより、熱源とラドン発生源とを一体化し、効率よく、持続的にラドンおよびマイナスイオンを発生させる。この温浴装置１を備えた温浴室２０は、熱源としてＰＴＣ電気式面状発熱体２５を使用し、この発熱体２５の上方に木製スノコを敷設することにより生じた空間が蓄熱をし、その熱が、木製スノコの間隙から室内に放射されるようにすることによって４０℃前後の室温を保つとともに、壁２２，２３には遠赤外線効果のある粉末を加えた珪藻土を塗布する。【選択図】  図５
2008136741.tif 000002
【特許請求の範囲】
【請求項１】
ＰＴＣ機能を有する電気式面状発熱体に木製枠を取付け、微量の天然放射能を発生させる土及び石を粉末にし、成形し、焼成したテラコッタタイルを前記木製枠に差し込み式に配列したことを特徴とするラドン・マイナスイオン温浴装置。
【請求項２】
ＰＴＣ機能を有する電気式面状発熱体に木製枠を取付け、微量の天然放射能を発生させる土及び石を粉末にし、成形し、焼成したテラコッタタイルを前記木製枠に差し込み式に配列したラドン・マイナスイオン温浴装置を備えたことを特徴とするドライサウナ方式の温浴室。
【請求項３】
ＰＴＣ機能を有する電気式面状発熱体を熱源とし、該面状発熱体の上方に木製スノコを敷設することにより生じた空間に蓄熱機能を持たせ、該空間内の熱が、前記木製スノコの間隙から室内に放射されることを特徴とする請求項２に記載のドライサウナ方式の温浴室。
【請求項４】
遠赤外線天然鉱石粉末を加えた珪藻土を室内側の壁面に塗布することを特徴とする請求項３に記載のドライサウナ方式の温浴室。
【請求項５】
構成部材が可搬性あるユニットに分割されていることを特徴とする請求項２〜４のいずれか１に記載のドライサウナ方式の温浴室。
【発明の詳細な説明】
【技術分野】
【０００１】
低線量放射線ホルミシス効果及びマイナスイオン効果を備えるドライサウナ方式のラドン・マイナスイオン温浴装置及びこれを備えたラドン・マイナスイオン温浴室に関する。
【背景技術】
【０００２】
日本を含め世界有数のラジウム鉱泉、ラドン温泉では、低線量放射線療法が古くから実施されており、近年では低線量放射線ホルミシス効果として有効性が高く評価され、数多くの人々が訪れている。
しかし、鉱泉、温泉の場所が、秋田県の玉川温泉、鳥取県の三朝温泉などのように限定されているので、ホルミシス効果を享受するためには、時間と費用とを必要とする。そのため、特開２００６−１７５０２０号公報（特許文献１）には、主に業務用の浴場の浴槽内やサウナ風呂内に設置するための、ラジウム鉱石などを内部に充填した装置に関する発明が開示されている。
【０００３】
【特許文献１】特開２００６−１７５０２０号公報
【発明の開示】
【発明が解決しようとする課題】
【０００４】
しかしながら、特許文献１の装置は、同時入浴中の多数者に同時にホルミシス効果を与えることを意図したものであって、業務用の浴槽などに設置することを前提とする。そのため、外形は直径５０ｃｍ、高さ９０ｃｍの円筒状、かつ、内部にラジウム鉱石を充填するという、大型で重量のある装置となっている。
このような装置は、もっぱら業務用に適するのであって、家庭内で簡便かつ日常的に利用するには不向きである。家庭用、あるいは少人数用には、付帯設備と設備保全に係る負担を極力小さくするとともに、安全で、場所をとらない形状が望まれる。
かかる点に鑑み、本発明は、利用者に対して手軽にホルミシス効果を与えることができる温浴装置および温浴室を提供することを目的とする。
【０００５】
また、主として家庭用の設備であることから、業務用設備におけるような専門知識を持った管理者がいないのが通常である。したがって、安全性の観点からＰＴＣ面状発熱体を熱源として採用するとともに、室温を４０℃前後に保つことも目的とする。
【０００６】
さらに、一般家庭においても、手軽にホルミシス効果などを備えたサウナ設備を設けることができるように、安価かつ短い工期で温浴室を提供することも目的とする。
【課題を解決するための手段】
【０００７】
上記の目的を実現するために、請求項１に記載の発明は、ラドン・マイナスイオン温浴装置であって、ＰＴＣ機能を有する電気式面状発熱体に木製枠を取付け、微量の天然放射能を発生させる土及び石を粉末にし、成形し、焼成したテラコッタタイルを前記木製枠に差し込み式に配列したことを特徴とする。
熱源である面状発熱体とラドン発生源であるテラコッタタイルとを一体化したことにより、本発明の装置は、ラドンを効率よく持続的に発生させることができる。また、ラドンの発生は、マイナスイオンも創出する。したがって、マイナスイオン効果、すなわち、老廃物を排出しやすくして細胞を活性化させるという効果も期待できる。
面状発熱体は、厚さが約０．８ｍｍ程度という薄さであり、木製の枠にテラコッタタイルという土を素焼きにしたものを材料とするので、本装置は軽量であり簡単に持ち運びができる。
【０００８】
上記の目的を実現するために、請求項２に記載の発明は、ドライサウナ方式の温浴室であって、請求項１に記載の温浴装置を備えたことを特徴とする。
これにより、本発明の温浴室は、気体状に発生するラドン及びマイナスイオンによる低線量放射線ホルミシス効果およびマイナスイオン効果を発揮することができる。
【０００９】
上記の目的を実現するために、請求項３に記載の発明は、請求項２に記載の温浴室であって、ＰＴＣ機能を有する電気式面状発熱体を熱源とし、該面状発熱体の上方に木製スノコを敷設することにより生じた空間に蓄熱機能を持たせ、該空間内の熱が、前記木製スノコの間隙から室内に放射されることを特徴とする。
この電気式面状発熱体の最高到達温度は７０℃程度という人体に著しい影響を与える高温である。そのため、直接接触を避けるため熱源と人体の間に断熱材を加えると、室温を４０℃前後に保つことが困難となってしまう。この問題を解決するために、本発明では、発熱体の上方に設けられたスノコとの間の空間に蓄熱し、この熱がスノコ間の間隙から室内に放射するという構成をとることによって、室温を４０℃前後に保つこととした。したがって、火傷などの心配がなく、安心して利用できる。
【００１０】
また、ＰＴＣ（Ｐｏｓｉｔｉｖｅ  Ｔｅｍｐｅｒａｔｕｒｅ  Ｃｏｅｆｆｉｃｉｅｎｔ）機能を有する面状発熱体を採用することにより、電流、温度の制御装置を不要としつつ、安全性、省エネルギー性を確保できる。なぜなら、ＰＴＣ、すなわち、半導体素子が温度変化に伴い正特性で抵抗を変化させる機能により、この発熱体は、設定温度以上には温度が上昇しないので安全であり、熱効率がよい。また、温度が上昇すると抵抗値が大となり電流値が下がるので、消費電力を抑えることができる。
さらに、面状発熱体というものは、面全体が発熱するので、均一な温度を実現できる。しかも、面状発熱体は軽量であるため、周囲の耐荷重性への考慮を必要としない。
【００１１】
上記の目的を実現するために、請求項４に記載の発明は、請求項３に記載の温浴室であって、遠赤外線天然鉱石粉末を加えた珪藻土を室内側の壁面に塗布することを特徴とする。
遠赤外線天然鉱石とは、例えば、常温で遠赤外線を放射することで最近注目されているブラックシリカなどである。
室内側の壁面とは、四囲の壁面だけではなく、天井面も含む。
これにより、本発明の温浴室は、遠赤外線温熱効果も発揮することができる。
遠赤外線は熱エネルギーが高く、浸透力が強いので、遠赤外線による温熱は体内に深く浸透して毛細血管を暖め、血液循環が促進される。本発明の温浴室では、室温が４０℃前後という比較的低い値に設定するが、このような低い温度でも、温浴室の四囲壁面と天井面とから遠赤外線が放射されるので、この温浴室の利用者の身体は十分に加温され、発汗できる。
【００１２】
上記の目的を実現するために、請求項５に記載の発明は、請求項２〜４のいずれか１に記載の温浴室であって、該温浴室の構成部材が可搬性あるユニットに分割されていることを特徴とする。
これにより、工場において、生産された温浴室の各パーツを、据付場所まで運び、非熟練者等でも短期間で仕上げることができる。つまり、施工が容易であり、工期も短縮でき、コスト削減が図れる。
【発明の効果】
【００１３】
ラジウム鉱泉、ラドン温泉等に出向かなくても、家庭においてホルミシス効果およびマイナスイオン効果を得るための設備が提供される。また、身体に良い影響を与えるとされる遠赤外線効果も得ることができる。さらに、温浴室全体の温度が４０℃前後に保たれているので、火傷などの心配がなく安心して利用できる。
そのうえ、このような健康増進に役立つサウナの設備が、一般家庭においても安価かつ手軽に設置できる。
【発明を実施するための最良の形態】
【００１４】
図１〜図４に従い、本発明の好ましい実施の形態に係る温浴装置について説明する。
温浴装置１は、ＰＴＣ面状発熱体２の両面を、テラコッタタイル３を差し込んだ木製枠４と、珪酸カルシウム板５とで挟んだ構造を有し、この構造を支える木製下枠６を備える。また、面状発熱体２は、電源Ｐ１から電力を供給される。
【００１５】
図１は、温浴装置１のテラコッタタイル３側からみた正面図である。木製枠４は、２本の外枠４ａと、横方向に配列するタイルの個数に応じた本数の内枠４ｂとからなる。外枠４ａには、長手方向に１つの案内溝７ａが設けられている。内枠４ｂには、長手方向に、１対の対向辺のそれぞれに案内溝７ｂが設けられている。隣接した木製枠４の対向する一対の案内溝７にテラコッタタイル３の左右の辺をスライドさせて差し込む。このように、テラコッタタイル３は溝にスライドさせるだけで、木製枠４に配置でき、特に接着剤などを必要としない。使用中にテラコッタタイル３が破損した場合も、新品のタイルと容易に取り替えることができる。
なお、上下方向のテラコッタタイル３同士の間に隙間８を確保するため、木片９を配置する。
【００１６】
図２は、図１のＡ−Ａ’断面図、図３は、図１のＢ−Ｂ’断面図、図４は、図１のＣ−Ｃ’断面図である。これらの断面図からわかるように、テラコッタタイル３と面状発熱体２との間には空間１０が形成され、上下に並ぶテラコッタタイル３同士の間には隙間８が形成されている。この隙間８は、熱源２からの熱を放射する役割とともに、ラドンが発生する面積を拡大させるという意義をも有している。
【００１７】
面状発熱体２は、そのＰＴＣ特性により、安全かつ熱効率がよい。また、温度分布が均一である。空間１０により面状発熱体２とテラコッタタイル３との間で蓄熱されるとともに、テラコッタタイル３の裏面、つまり発熱体２側の面からもラドンが発生する。
【００１８】
このテラコッタタイル３は、ラジウム鉱石のような微量の天然の放射線を出している放射性鉱石を粉末にして成形し素焼きにしたものである。約１ｍｍ程度の空間１０を隔てた熱源２により熱せられることによって、効率よく、かつ持続的にラドン及びマイナスイオンが発生する。
【００１９】
４０℃前後という室温、及び後に説明する遠赤外線効果により、この温浴装置１の利用者は多量に発汗する。また、この温浴装置１を用いる温浴室内の湿度は５０％以上になる。そのため、面状発熱体２は防水加工を施したものを使用する。
また、面状発熱体２の裏面に、珪酸カルシウム板５を貼り付けたのは、珪酸カルシウムが耐火性、断熱性に優れているからである。なお、珪酸カルシウム板５の厚さは、５〜６ｍｍあれば、十分である。
この温浴装置１は、木製下枠６の底面を、後に説明する温浴室の木製スノコなどの上に、立てて使用する。
なお、図１では、テラコッタタイル３が、上下に３つ、左右に６つの計１８個が差し込まれているが、配置するテラコッタタイル３の個数と大きさは特に限定しない。
【００２０】
次に、本発明の好ましい実施の形態に係る温浴室について、図５〜図７を参照しながら説明する。
【００２１】
温浴室２０は、床部２１、四囲の壁部２２、天井部２３からなり、適当な位置に温浴装置１を設置する。温浴室２０は、電源Ｐ２と、外部の新鮮な空気を取り込むための換気口２４を備える。また、壁部２２のいずれか１箇所には開閉可能な出入り口（図示せず）を設けるものとする。
【００２２】
温浴装置１は、前記の実施形態で説明したものと同様なので説明は省略する。
ただし、平面状の温浴装置１は、温浴室２０の４つの壁部２２のそれぞれに平行に１個ずつ計４個を立てかけるとよい。このようにすると、利用者は温浴室２０のほぼ中央にいるならば、４つの側面からほぼ均等な温熱およびラドンを受けることができるからである。
しかし、予算などに応じて、１個の温浴装置１を適宜位置を移動させて使用してもよい。
なお、ラドンは気体なので、この温浴室を利用している者は、呼吸をしているだけでラドンが体内に入り、血液中に溶け込み、ラドン泉と同様の効用を享受できる。
【００２３】
図６に従い、床部２１について説明する。
熱源として、ＰＴＣ面状発熱体２５を用いる。安全かつ軽量、昇温が速やかで、温度分布が均一という利点があるからである。面状発熱体２５は最高７０℃程度まで発熱する。そのため、発熱体２５の上方に木製スノコ２６を設けるとともに、木製スノコ２６と発熱体２５との間に空間２７を設けた。ＰＴＣ機能を有する面状発熱体２５の上方の２４ｍｍ程度の高さに木製スノコ２６を敷設することにより生じた空間２７が蓄熱をし、その熱が木製スノコ２６の間隙２８（約１２〜１５ｍｍが適当）から温浴室２０内に自然放射されることにより、室温を４０℃前後に保つことができる。
そのため、この温浴室２０の利用者は、床部２１の上を歩いたり、床部２１の上に座ったりしても火傷などを負う心配がない。また、人体と直接接触するのは、木製スノコ２６であるため、快適さも確保できる。
なお、利用者の発汗により、汗が面状発熱体２５上に流れ落ちるので、面状発熱体２５は防水加工をしたものを利用する。
【００２４】
床部２１は、面状発熱体２５から下部に、耐火性、断熱性に優れている珪酸カルシウム板２９を敷設し、更に下地合板３０、極薄厚シート（ミラーシート）３１、硬質断熱材３２の順に敷設する。珪酸カルシウム板２９の厚さは５〜６ｍｍ、合板３０の厚さは１２ｍｍ、硬質断熱材３２の厚さは２４ｍｍ程度あればよい。
合板３０と硬質断熱材３２の間に、極薄厚シート（ミラーシート）３１を敷いたのは、面状発熱体２５から発生した熱を温浴室２０内部に反射させて熱効率を向上させるためである。
また、最下部の床との接触面には、防水性に優れた透湿防水シート３３を敷くことにより結露防止などを図る。
【００２５】
次は、図７に従い、壁部２２について説明する。天井部２３も同様である。図７は、壁部２２あるいは天井部２３の断面図であり、図の右側が、壁部２２あるいは天井部２３の温浴室２０側であり、図の左側が、温浴室２０の外部側である。
【００２６】
四囲の壁部２２、天井部２３には、室内側から遠赤外線天然鉱石粉末を加えた珪藻土を２回塗りすることにより、遠赤外線を放射する内装壁３４（厚さは３〜４ｍｍ程度）を形成する。珪藻土には、遠赤外線天然鉱石粉末を好ましくは１０％以上３０％以下、より好ましくは１５％以上20％以下加える。
この内装壁３４から順に、石膏ボード３５、極薄厚シート３６（ミラーシート）、硬質断熱材３７を敷設し、外側を外壁化粧板３８で囲うことにより、断熱性、防火性、防水性、及び遮音性に優れた温浴室２０を実現できる。ここで、石膏ボード３５の厚さは９〜１２ｍｍ、硬質断熱材３７の厚さは２４ｍｍ程度あればよい。
壁部２２および天井部２３に石膏ボード３５を使用するのは、防火性、耐火性、および遮音性に優れているからである。また、極薄厚シート３６は、遠赤外線を室内側に反射させるためである。
なお、防火性、耐火性のみならず、遮音性をも考慮したのは、温浴室２０を単に健康増進目的だけでなく、生活音などを遮断して精神的にもリラックスできる空間とするためである。
【００２７】
以上述べたように、本実施形態の温浴室２０は、安全で軽量な均一温度分布する熱源２５による蓄熱構造を形成し、ラドン発生源、マイナスイオン発生源及び遠赤外線放射源を配したことを特徴とする。これにより、低線量放射線、マイナスイオン、並びに遠赤外線が温浴室２０の利用者へ照射される。つまり、遠方のラジウム鉱泉などに出向かなくても、本発明の温熱ドライサウナ方式の温浴設備を日常的に利用することによって、ホルミシス効果、マイナスイオン効果及び遠赤外線効果を同時に享受できる。
【００２８】
次に、前記の実施形態に係る温浴室２０の施工について説明する。
温浴室２０を構成する、床構造２１、壁構造２２、天井構造２３及びラドン発生源であるテラコッタタイル３を配列した温浴装置１を、ユニット分割することにより、可搬式を実現し、工場において予め製造しておく。施工場所へ、必要なユニットを搬入し、組立て、据付けをする。具体的には、ユニット化された各構造をボルトとナットで固縛した後、高気密性を保持するため、各構造の取り合い部に薄いアルミ板をビス締めし、珪藻土を塗布するわけである。
このような工法を採用することにより、固定設備と同等の機能を有する可搬式組立据付式の設備が、短い工期で、かつ安価な人件費で手に入れることができる。
【００２９】
前記のように開示された実施の形態はすべての点で例示であって、制限的なものではない。したがって、種々の変形が可能である。しかし、その変形が特許請求の範囲に記載された技術思想に基づくものである限り、その変形は本発明の技術的範囲に含まれる。
【産業上の利用可能性】
【００３０】
一般家庭において、簡便かつ日常的に利用しうるようなサウナ設備を製造、設置する業種、たとえば、住宅メーカ、リフォーム業者、建材メーカにおいて利用できる。健康志向の高い昨今、ホルミシス効果、マイナスイオン効果および遠赤外線効果という３つの効果が同時に実現できる点で、本発明のサウナ設備は、その普及が見込まれる。
【図面の簡単な説明】
【００３１】
【図１】本実施形態の温浴装置の正面図である。
【図２】図１のＡ−Ａ’断面図である。
【図３】図１のＢ−Ｂ’断面図である。
【図４】図１のＣ−Ｃ’断面図である。
【図５】本実施形態の温浴室の模式図である。
【図６】本実施形態の温浴室の床部の部分断面図である。
【図７】本実施形態の温浴室の壁部の部分断面図である。
【符号の説明】
【００３２】
１  温浴装置
２  （温浴装置１の）電気式面状発熱体
３  テラコッタタイル
４（４ａ、４ｂ）  木製枠
２０  温浴室
２１  （温浴室２０の）床部
２２  （温浴室２０の）壁部
２３  （温浴室２０の）天井部
２５  （温浴室２０の）電気式面状発熱体
２６  木製スノコ
２７  蓄熱空間
２８  木製スノコ間の間隙
【図１】
2008136741.tif 000003
【図２】
2008136741.tif 000004
【図３】
2008136741.tif 000005
【図４】
2008136741.tif 000006
【図５】
2008136741.tif 000007
【図６】
2008136741.tif 000008
【図７】
2008136741.tif 000009